(57)【要約】【課題】検出部に供給する作動用電源を備えていない測定装置などを用いての測定を実現し得るコネクタを提供する。【解決手段】検出部から出力される検出信号を入力する測定装置の入力端子に接続可能に構成された信号出力端子６１と、検出部に作動用電源を出力する測定装置の電源出力端子に接続可能に構成された電源入力端子６２とが配設されたメインコネクタ４１を備え、メインコネクタ４１に対して着脱可能に構成されると共に、装着状態において、測定装置からの作動用電源の供給に代えて測定装置以外の外部装置からの検出部の作動用電源をメインコネクタ４１を介して検出部に供給可能に構成されたサブコネクタ４２を備えている。【選択図】図３
2008218251.tif 000002
【特許請求の範囲】
【請求項１】
検出部から出力される検出信号を入力する測定装置の入力端子に接続可能に構成された第１端子と、前記検出部に作動用電源を出力する前記測定装置の電源出力端子に接続可能に構成された第２端子とが配設されたメインコネクタを備えたコネクタであって、
前記メインコネクタに対して着脱可能に構成されると共に、装着状態において、前記測定装置からの前記作動用電源の供給に代えて当該測定装置以外の外部装置からの前記検出部の作動用電源を前記メインコネクタを介して当該検出部に供給可能に構成されたサブコネクタを備えているコネクタ。
【請求項２】
前記メインコネクタは、前記第１端子および第３端子が配設された第１本体部と、前記第１本体部に対して着脱可能に構成されると共に前記第２端子および前記第１本体部に装着された状態において前記第３端子に接続されて当該第２端子を介して入力した前記測定装置からの前記作動用電源を当該第３端子に受け渡す第４端子が配設された第２本体部とを備えて構成され、
前記サブコネクタは、前記第１本体部における前記第２本体部の装着部位に当該第２本体部に代えて装着可能に構成されると共に当該第１本体部に装着された状態において前記第３端子に接続されて前記外部装置からの前記作動用電源を当該第３端子に受け渡す第５端子を備えて構成されている請求項１記載のコネクタ。
【請求項３】
前記第１本体部および前記サブコネクタは、当該サブコネクタが当該第１本体部に装着された状態において各々の先端面がほぼ面一となるようにそれぞれ形成されている請求項２記載のコネクタ。
【請求項４】
前記メインコネクタは、その先端面に前記第１端子および前記第２端子が配設されて構成され、
前記サブコネクタは、前記先端面側に装着可能に構成されると共に、装着状態において前記第１端子にその基端部が接続可能でかつ前記測定装置の前記入力端子にその先端部が接続可能に構成された第６端子と、前記装着状態において前記第２端子に接続可能に構成されて前記外部装置からの前記作動用電源を当該第２端子に受け渡す第７端子とを備えている請求項１記載のコネクタ。
【請求項５】
前記第１端子は同軸ケーブル接続用端子で構成されている請求項１から４のいずれかに記載のコネクタ。
【請求項６】
請求項１から５のいずれかに記載のコネクタと、当該コネクタにその一端部が接続されたケーブルと、前記検出部とを備え、当該検出部は、当該ケーブルの他端部に接続されると共に前記コネクタおよび当該ケーブルを介して入力した前記作動用電源で作動すると共に前記検出信号を出力する検出装置。
【請求項７】
請求項６記載の検出装置と、前記測定装置と、前記外部装置とを備え、当該測定装置は、当該検出装置の前記検出部から出力される前記検出信号を入力する入力端子、前記検出部に作動用電源を出力するための電源出力端子、および前記作動用電源を出力する電源部を備えて構成されると共に前記検出信号に基づいて所定の物理量を測定し、前記外部装置は、前記作動用電源を出力する電源装置で構成されている測定システム。
【発明の詳細な説明】
【技術分野】
【０００１】
本発明は、測定装置の検出信号入力用の入力端子に接続可能な第１端子と、検出部に作動用電源を出力するための測定装置の電源出力端子に接続可能な第２端子とを有するコネクタに関するものである。
【背景技術】
【０００２】
作動用電源の供給によって作動する検出部からの検出信号に基づいて所定の物理量を測定する測定装置として、特開２００５−１４７８０１号公報に開示された搬送波形３線式ひずみ測定システム（以下、単に「測定システム」ともいう）が知られている。この測定システムは、ひずみゲージおよびブリッジボックスによって構成された検出部としてのブリッジ回路と、測定装置（測定器）とを備えている。この測定システムでは、測定装置の電源部によって生成された作動用電源（交流電源電圧）が、測定装置における電源供給用の接続端子に接続された電源供給線を介してブリッジ回路に供給される。また、作動用電源の供給によってブリッジ回路から出力される検出信号（信号電圧）が測定装置における信号入力用の接続端子に接続された信号線を介して測定装置に入力し、測定装置が、その検出信号に基づいてひずみ測定処理を実行する。この場合、作動用電源の供給が必要な検出部を用いるこの種の測定システムでは、一般的に、各接続端子が配列されて測定装置に取り付けられた専用の装置側コネクタと、信号線および電源供給線の先端部に接続された専用の検出部側コネクタとを連結することで信号線および電源供給線と各接続端子とを接続する構成が採用されている。
【特許文献１】特開２００５−１４７８０１号公報（第５，６頁、第１図）
【発明の開示】
【発明が解決しようとする課題】
【０００３】
ところが、上記の測定システムおよびこの種の測定システムにおいて一般的に用いられているコネクタには、以下の問題点がある。すなわち、この測定システムでは、作動用電源の供給および検出信号の入力を行うための専用のコネクタが用いられている。一方、この種の測定システムの検出部を他の測定装置に接続して物理量を測定し、別の観点から測定値の解析を行いたいことがある。しかしながら、上記した専用のコネクタや、作動用電源を生成する電源部が他の測定装置に備えられていないときには、その測定装置に検出部を接続することができないため、このような形態での使用が困難であり、この点の改善が望まれている。
【０００４】
この場合、作動用電源を生成する電源部や上記した専用のコネクタを備えた中継装置を用いて、検出部のコネクタをこの中継装置のコネクタに接続し、中継装置と測定装置とを同軸ケーブル等で接続する方法も考えられる。しかしながら、この方法では、検出信号が中継装置内を通過するため、中継装置で発生するノイズの影響を受けて測定結果が不正確となるおそれがある。また、この方法では、検出部に付属のケーブルの他に、測定装置との接続のための同軸ケーブル等を用いるため、インピーダンス整合や伝送損失抑制のための機能を中継装置に付加する必要があり、中継装置が複雑で高価なものとなる。したがって、この方法を採用するのは困難である。
【０００５】
本発明は、かかる問題点に鑑みてなされたものであり、検出部に供給する作動用電源を備えていない測定装置などを用いての測定を実現し得るコネクタ、このコネクタを備えた検出装置、およびこの検出装置を備えた測定システムを提供することを主目的とする。
【課題を解決するための手段】
【０００６】
上記目的を達成すべく請求項１記載のコネクタは、検出部から出力される検出信号を入力する測定装置の入力端子に接続可能に構成された第１端子と、前記検出部に作動用電源を出力する前記測定装置の電源出力端子に接続可能に構成された第２端子とが配設されたメインコネクタを備えたコネクタであって、前記メインコネクタに対して着脱可能に構成されると共に、装着状態において、前記測定装置からの前記作動用電源の供給に代えて当該測定装置以外の外部装置からの前記検出部の作動用電源を前記メインコネクタを介して当該検出部に供給可能に構成されたサブコネクタを備えている。
【０００７】
また、請求項２記載のコネクタは、請求項１記載のコネクタにおいて、前記メインコネクタは、前記第１端子および第３端子が配設された第１本体部と、前記第１本体部に対して着脱可能に構成されると共に前記第２端子および前記第１本体部に装着された状態において前記第３端子に接続されて当該第２端子を介して入力した前記測定装置からの前記作動用電源を当該第３端子に受け渡す第４端子が配設された第２本体部とを備えて構成され、前記サブコネクタは、前記第１本体部における前記第２本体部の装着部位に当該第２本体部に代えて装着可能に構成されると共に当該第１本体部に装着された状態において前記第３端子に接続されて前記外部装置からの前記作動用電源を当該第３端子に受け渡す第５端子を備えて構成されている。
【０００８】
また、請求項３記載のコネクタは、請求項２記載のコネクタにおいて、前記第１本体部および前記サブコネクタは、当該サブコネクタが当該第１本体部に装着された状態において各々の先端面がほぼ面一となるようにそれぞれ形成されている。
【０００９】
さらに請求項４記載のコネクタは、請求項１記載のコネクタにおいて、前記メインコネクタは、その先端面に前記第１端子および前記第２端子が配設されて構成され、前記サブコネクタは、前記先端面側に装着可能に構成されると共に、装着状態において前記第１端子にその基端部が接続可能でかつ前記測定装置の前記入力端子にその先端部が接続可能に構成された第６端子と、前記装着状態において前記第２端子に接続可能に構成されて前記外部装置からの前記作動用電源を当該第２端子に受け渡す第７端子とを備えている。
【００１０】
また、請求項５記載のコネクタは、請求項１から４のいずれかに記載のコネクタにおいて、前記第１端子は同軸ケーブル接続用端子で構成されている。
【００１１】
また、請求項６記載の検出装置は、請求項１から５のいずれかに記載のコネクタと、当該コネクタにその一端部が接続されたケーブルと、前記検出部とを備え、当該検出部は、当該ケーブルの他端部に接続されると共に前記コネクタおよび当該ケーブルを介して入力した前記作動用電源で作動すると共に前記検出信号を出力する。
【００１２】
請求項７記載の測定システムは、請求項６記載の検出装置と、前記測定装置と、前記外部装置とを備え、当該測定装置は、当該検出装置の前記検出部から出力される前記検出信号を入力する入力端子、前記検出部に作動用電源を出力するための電源出力端子、および前記作動用電源を出力する電源部を備えて構成されると共に前記検出信号に基づいて所定の物理量を測定し、前記外部装置は、前記作動用電源を出力する電源装置で構成されている。
【発明の効果】
【００１３】
請求項１記載のコネクタによれば、メインコネクタに対して着脱可能に構成されると共に、装着状態において測定装置からの作動用電源の供給に代えて外部装置からの作動用電源を供給可能なサブコネクタを備えたことにより、このサブコネクタを用いることで、外部装置からの作動用電源を検出部に供給することができる。したがって、このコネクタによれば、特殊な機能を備えた中継装置を用いることなく、作動用電源生成用の電源部を備えていない測定装置などと検出部とによる測定を実現することができる。
【００１４】
また、請求項２記載のコネクタによれば、第１本体部と、第１本体部に対して着脱可能に構成されると共に測定装置からの作動用電源を第１本体部に受け渡す第２本体部とでメインコネクタを構成し、第２本体部に代えて第１本体部に装着可能に構成されると共に外部装置からの作動用電源を第１本体部に受け渡し可能にサブコネクタを構成したことにより、検出部に対して供給する測定装置からの作動用電源と外部装置からの作動用電源との切り替えを、第２本体部とサブコネクタとの付け替えだけで行うことができる。したがって、このコネクタによれば、作動用電源生成用の電源部を備えた測定装置を用いた測定とその電源部を備えていない測定装置を用いた測定とを迅速に切り替えて実行することができる。
【００１５】
また、請求項３記載のコネクタによれば、サブコネクタが第１本体部に装着された状態において、各々の先端面がほぼ面一となるように第１本体部およびサブコネクタをそれぞれ形成したことにより、入力端子の配設部位の周囲が平旦に形成されている測定装置を用いて測定を行う場合においても、その測定装置の入力端子と第１本体部の第１端子とを確実に接続させることができる。
【００１６】
また、請求項４記載のコネクタによれば、メインコネクタに対して装着可能に構成されると共に外部装置からの作動用電源をメインコネクタに受け渡し可能にサブコネクタを構成したことにより、検出部に対して供給する測定装置からの作動用電源と外部装置からの作動用電源との切り替えを、サブコネクタの着脱だけで行うことができる。したがって、このコネクタによれば、作動用電源生成用の電源部を備えた測定装置を用いた測定とその電源部を備えていない測定装置を用いた測定とを迅速に切り替えて実行することができる。
【００１７】
さらに、請求項５記載のコネクタによれば、第１端子を同軸ケーブル接続用端子で構成したことにより、同軸ケーブル接続用端子が測定装置に一般的に備えられているため、このコネクタを用いて数多くの種類の測定装置に検出部を接続することができる結果、これらの各測定装置と検出部とによる測定を実現することができる。
【００１８】
また、請求項６記載の検出装置によれば、請求項１から５のいずれかに記載のコネクタを備えたことにより、上記の各コネクタが有する効果と同様の効果を実現することができる。
【００１９】
また、請求項７記載の測定システムによれば、請求項６記載の検出装置を備えたことにより、上記の各コネクタおよび上記の検出装置が有する効果と同様の効果を実現することができる。
【発明を実施するための最良の形態】
【００２０】
以下、本発明に係るコネクタ、検出装置および測定システムの最良の形態について、図面を参照して説明する。
【００２１】
最初に、測定システム１の構成について、図面を参照して説明する。図１に示す測定システム１は、本発明に係る測定システムの一例であって、測定装置２、電源装置３および検出装置４を備えて構成されている。測定装置２は、図２に示すように、測定部１１および電源部１２を備えて構成されている。測定部１１は、検出装置４から出力された検出信号Ｓｄに基づいて測定対象体についての所定の物理量（例えば電流）を測定する。電源部１２は、検出装置４に供給する作動用電源Ｖｄ１を生成する。
【００２２】
また、図５に示すように、測定装置２の正面パネルには、後述する検出装置４のコネクタ３２が差し込まれる接続部１３が設けられている。また、接続部１３には、信号入力端子２１および電源出力端子２２が配設されている。この場合、信号入力端子２１は、検出装置４から出力される検出信号Ｓｄを入力するための端子であって、この種の測定装置に一般的に備えられているメス型のＢＮＣ端子（本発明における同軸ケーブル接続用端子の一例）で構成されている。また、電源出力端子２２は、電源部１２によって生成される作動用電源Ｖｄ１を検出装置４に出力するための端子であって、後述するコネクタ３２の電源入力端子６２と接続可能な測定装置２専用のメス型端子で構成されている。
【００２３】
電源装置３は、本発明における外部装置に相当し、上記した作動用電源Ｖｄ１と同等の作動用電源Ｖｄ２（以下、作動用電源Ｖｄ１，Ｖｄ２を区別しないときには「作動用電源Ｖｄ」ともいう）を生成する。また、図１に示すように、電源装置３の正面パネルには、後述する検出装置４におけるサブコネクタ４２に接続されているケーブル４２ａに取り付けられている端子４２ｂと接続可能に構成されて、作動用電源Ｖｄ２を出力するための端子３ａが配設されている。
【００２４】
検出装置４は、本発明に係る検出装置の一例であって、図１，２に示すように、センサ３１、コネクタ３２、ケーブル３３を備えて構成されている。センサ３１は、本発明における検出部に相当し、作動用電源Ｖｄの供給によって作動して、測定対象体についての所定の物理量を検出して検出信号Ｓｄを出力する。コネクタ３２は、本発明に係るコネクタの一例であって、図３に示すように、メインコネクタ４１およびサブコネクタ４２を備えて構成されている。メインコネクタ４１は、第１本体部５１および第２本体部５２を備えて構成されている。
【００２５】
第１本体部５１は、図３に示すように、第２本体部５２が装着される切り欠き部５１ａが先端部側（同図における左側）に形成されると共に、信号出力端子６１および接続端子６３を備えている。この場合、信号出力端子６１は、本発明における第１端子に相当し、測定装置２の信号入力端子２１に接続可能なオス型ＢＮＣ端子であって、第１本体部５１の先端面５１ｆに配設されている。また、接続端子６３は、本発明における第３端子に相当し、後述する第２本体部５２の電源入力端子６２を介して入力した作動用電源Ｖｄ１が受け渡される接続端子であって、第１本体部５１における切り欠き部５１ａの形成部位に配設されている。
【００２６】
第２本体部５２は、第１本体部５１における切り欠き部５１ａの形成部位に着脱可能に構成されると共に、電源入力端子６２および接続端子６４を備えている。この場合、電源入力端子６２は、本発明における第２端子に相当し、測定装置２の電源出力端子２２に接続可能なオス型端子であって、第２本体部５２の先端面５２ｆに配設されている。また、接続端子６４は、本発明における第４端子に相当し、第１本体部５１の接続端子６３に接続可能に構成されている。この場合、上記した電源入力端子６２を介して入力した測定装置２からの作動用電源Ｖｄ１が、接続端子６４を介して接続端子６３に受け渡される。
【００２７】
サブコネクタ４２は、本発明におけるサブコネクタの一例であって、図３に示すように、第２本体部５２と同様の形状に形成されて、第１本体部５１における切り欠き部５１ａの形成部位に着脱可能に構成されている。つまり、サブコネクタ４２は、第２本体部５２に代えて第１本体部５１に装着可能に構成されている。また、サブコネクタ４２は、第１本体部５１の接続端子６３に接続可能に構成された接続端子６５（本発明における第５端子に相当する）を備えている。また、サブコネクタ４２には、電源装置３からの作動用電源Ｖｄ２を受け渡すケーブル４２ａの端部が接続されている。この場合、電源装置３からの作動用電源Ｖｄ２が、ケーブル４２ａおよび接続端子６５を介して接続端子６３に受け渡される。また、サブコネクタ４２は、先端面４２ｆ（同図における左側の面）が平坦に形成されると共に、第１本体部５１に装着された状態において、第１本体部５１の先端面５１ｆと先端面４２ｆとが面一になるように構成されている（図６参照）。
【００２８】
ケーブル３３は、コネクタ３２にその一端部が接続されると共に、センサ３１にその他端部が接続されて、作動用電源Ｖｄおよび検出信号Ｓｄの受け渡しを行う。
【００２９】
次に、測定システム１を用いて測定対象体についての所定の物理量を測定する方法について、図面を参照して説明する。
【００３０】
まず、図４に示すように、コネクタ３２の第１本体部５１における切り欠き部５１ａの形成部位に第２本体部５２を装着する。この際に、第１本体部５１の接続端子６３と第２本体部５２の接続端子６４とが互いに接続される。次いで、この状態のコネクタ３２の先端部を測定装置２の接続部１３に差し込む（図５参照）。この際に、測定装置２の電源出力端子２２とコネクタ３２の電源入力端子６２とが互いに接続されると共に、測定装置２の信号入力端子２１とコネクタ３２の信号出力端子６１とが互いに接続される。
【００３１】
続いて、測定装置２を操作して測定を開始させる。この際に、電源部１２によって生成された作動用電源Ｖｄ１が、図２に示すように、電源出力端子２２、電源入力端子６２、接続端子６４、接続端子６３およびケーブル３３を介してセンサ３１に供給される。また、センサ３１が、作動用電源Ｖｄ１の供給により、測定対象体についての所定の物理量を検出して検出信号Ｓｄをする。次いで、測定装置２の測定部１１が、ケーブル３３、信号出力端子６１および信号入力端子２１を介して入力した検出信号Ｓｄに基づいて測定対象体についての所定の物理量を測定する。
【００３２】
ここで、この測定システム１では、サブコネクタ４２を用いることで、測定装置２の電源部１２によって生成される作動用電源Ｖｄ１に代えて電源装置３によって生成される作動用電源Ｖｄ２をセンサ３１に供給することが可能となっている。このため、電源部１２および電源出力端子２２を備えていない測定装置（一例として、図７にその一部を示す測定装置１０２）や、電源出力端子の形状が測定装置２の電源出力端子２２の形状とは異なる測定装置（つまり、コネクタ３２の電源入力端子６２とその電源出力端子との接続をできない測定装置）を用いての上記した所定の物理量の測定が可能となっている。なお、以下の説明において、測定装置１０２が備えている各構成要素のうちの、測定装置２と同じ構成要素については、同じ符号を付して重複する説明を省略する。
【００３３】
この測定装置１０２を用いて上記した所定の物理量の測定するときには、まず、ケーブル４２ａに取り付けられている端子４２ｂを電源装置３の端子３ａに接続する。続いて、図３に示すように、第１本体部５１から第２本体部５２を取り外して、次いで、図６に示すように、第１本体部５１における切り欠き部５１ａの形成部位にサブコネクタ４２を装着する。この際に、第１本体部５１の接続端子６３とサブコネクタ４２の接続端子６５とが互いに接続される。続いて、コネクタ３２の信号出力端子６１を測定装置１０２の信号入力端子２１に接続する（図７参照）。この場合、サブコネクタ４２の先端面４２ｆに電源入力端子６２が配設されることなく平旦に形成され、かつ先端面４２ｆと第１本体部５１の先端面５１ｆとがほぼ面一となっているため、測定装置１０２のフロントパネルにおける信号入力端子２１の配設部位の周囲が平旦に形成されていたとしても、フロントパネルとサブコネクタ４２とが干渉することなく、信号出力端子６１と信号入力端子２１とが確実に接続される。
【００３４】
次いで、電源装置３を作動させて作動用電源Ｖｄ２の生成を開始させると共に、測定装置１０２を操作して測定を開始させる。この際に、電源装置３から出力されてケーブル４２ａを介して入力する作動用電源Ｖｄ２が接続端子６４，５６およびケーブル３３を介してセンサ３１に供給される。また、センサ３１が作動用電源Ｖｄ２供給によって測定対象体についての所定の物量を検出して検出信号Ｓｄをする。続いて、測定装置１０２の測定部１１が信号入力端子２１を介して入力した検出信号Ｓｄに基づいて測定対象体についての所定の物理量を測定する。
【００３５】
このように、このコネクタ３２、検出装置４および測定システム１によれば、メインコネクタ４１に対して着脱可能に構成されると共に、メインコネクタ４１に装着した状態において測定装置２からの作動用電源Ｖｄ１の供給に代えて電源装置３からの作動用電源Ｖｄ２を供給可能なサブコネクタ４２を備えたことにより、このサブコネクタ４２を用いることで、電源装置３からの作動用電源Ｖｄ２をセンサ３１に供給することができる。したがって、このコネクタ３２、検出装置４および測定システム１によれば、特殊な機能を備えた中継装置を用いることなく、作動用電源Ｖｄ１生成用の電源部１２やコネクタ３２専用の接続部１３を備えていない測定装置１０２とセンサ３１とによる物理量の測定を実現することができる。
【００３６】
また、このコネクタ３２、検出装置４および測定システム１によれば、第１本体部５１と、第１本体部５１に対して着脱可能に構成されると共に測定装置２からの作動用電源Ｖｄ１を第１本体部５１に受け渡す第２本体部５２とでメインコネクタ４１を構成し、第２本体部５２に代えて第１本体部５１に装着可能に構成されると共に電源装置３からの作動用電源Ｖｄ２を第１本体部５１に受け渡し可能にサブコネクタ４２を構成したことにより、センサ３１に対して供給する測定装置２からの作動用電源Ｖｄ１と電源装置３からの作動用電源Ｖｄ２との切り替えを、第２本体部５２とサブコネクタ４２との付け替えだけで行うことができる。したがって、このコネクタ３２、検出装置４および測定システム１によれば、測定装置２を用いた測定と測定装置１０２を用いた測定とを迅速に切り替えて実行することができる。
【００３７】
また、このコネクタ３２、検出装置４および測定システム１によれば、サブコネクタ４２が第１本体部５１に装着された状態において、各々の先端面５１ｆ，４２ａがほぼ面一となるように第１本体部５１およびサブコネクタ４２をそれぞれ形成したことにより、測定装置１０２のフロントパネルにおける信号入力端子２１の配設部位の周囲が平旦に形成されていたとしても、フロントパネルとサブコネクタ４２との干渉を回避することができるため、信号出力端子６１と信号入力端子２１とを確実に接続させることができる。
【００３８】
さらに、このコネクタ３２、検出装置４および測定システム１によれば、信号出力端子６１を同軸ケーブル接続用端子としてのＢＮＣ端子で構成したことにより、ＢＮＣ端子が測定装置に一般的に備えられているため、コネクタ３２を用いて数多くの種類の測定装置にセンサ３１を接続することができる結果、これらの各測定装置とセンサ３１とによる測定を実現することができる。
【００３９】
次に、図８に示すコネクタ１３２を接続可能な接続部２１３を備えた測定装置２０２（図９参照）と、上記した電源装置３と、コネクタ１３２を備えた検出装置１０４（同図参照）とで構成された測定システム１０１（同図参照）について説明する。なお、以下の説明において、上記の測定システム１と同じ構成要素については、同じ符号を付して重複する説明を省略する。このコネクタ１３２は、本発明に係るコネクタの他の一例であって、図８に示すように、メインコネクタ１４１およびサブコネクタ１４２を備えて構成されている。
【００４０】
メインコネクタ１４１は、上記した信号出力端子６１、および電源入力端子１５７ａ，１５７ｂ（以下、区別しないときには「電源入力端子１５７」ともいう）を備えている。電源入力端子１５７は、本発明における第２端子に相当し、図９に示す測定装置２０２の電源出力端子２２２ａ，２２２ｂ（以下、区別しないときには「電源出力端子２２２」ともいう）にそれぞれ接続可能なオス型端子で構成されている。この場合、信号出力端子６１および電源入力端子１５７は、メインコネクタ１４１の先端面１４１ｆに配設されている。
【００４１】
サブコネクタ１４２は、本発明におけるサブコネクタの他の一例であって、図８に示すように、メインコネクタ１４１の先端面１４１ｆ側に着脱可能に構成されると共に、延長端子１６１、および接続端子１６２ａ，１６２ｂ（以下、区別しないときには「接続端子１６２」ともいう）を備えている。また、サブコネクタ１４２には、ケーブル４２ａの端部が接続されている。延長端子１６１は、本発明における第６端子に相当し、サブコネクタ１４２がメインコネクタ１４１に装着された状態においてメインコネクタ１４１の信号出力端子６１にその基端部が接続可能で、かつ測定装置２０２の信号入力端子２１にその先端部が接続可能に構成されている。
【００４２】
接続端子１６２ａ，１６２ｂは、本発明における第７端子に相当し、メインコネクタ１４１の電源入力端子１５７ａ，１５７ｂにそれぞれ接続可能に構成されている。この場合、電源装置３からの作動用電源Ｖｄ２が、ケーブル４２ａおよび接続端子１６２を介して電源入力端子１５７に受け渡される。また、サブコネクタ１４２は、先端面１４２ｆにおける延長端子１６１の配設部分を除く部分が平坦に形成されている。
【００４３】
この測定システム１０１を用いて測定対象体についての所定の物理量を測定する際には、まず、コネクタ１３２の先端部を測定装置２０２の接続部２１３に差し込む（図９参照）。この際に、測定装置２０２の電源出力端子２２２とコネクタ１３２の電源入力端子１５７とが互いに接続されると共に、測定装置２０２の信号入力端子２１とコネクタ１３２の信号出力端子６１とが互いに接続される。
【００４４】
続いて、測定装置２０２を操作して測定を開始させる。この際に、測定装置２０２の電源部１２によって生成された作動用電源Ｖｄ１が、電源出力端子２２２、電源入力端子１５７およびケーブル３３を介してセンサ３１に供給され、センサ３１が検出信号Ｓｄをする。次いで、測定装置２０２の測定部１１が、ケーブル３３、信号出力端子６１および信号入力端子２１を介して入力した検出信号Ｓｄに基づいて測定対象体についての所定の物理量を測定する。
【００４５】
一方、測定装置２０２に代えて接続部２１３を備えていない測定装置（例えば、上記した測定装置１０２）や、電源出力端子の形状が測定装置２０２の電源出力端子２２２の形状とは異なる測定装置（例えば測定装置２）を用いて測定対象体についての所定の物理量を測定する際には、図１０に示すように、まず、コネクタ１３２のメインコネクタ１４１の先端部にサブコネクタ１４２を装着する。この際に、メインコネクタ１４１の信号出力端子６１とサブコネクタ１４２における延長端子１６１の基端部とが互いに接続されると共に、メインコネクタ１４１の電源入力端子１５７ａ，１５７ｂとサブコネクタ１４２の接続端子１６２ａ，１６２ｂとがそれぞれ接続される。次いで、コネクタ１３２における延長端子１６１の先端部を測定装置１０２の信号入力端子２１に接続する。この場合、サブコネクタ１４２の前面に電源入力端子１５７が配設されることなく平旦に形成されているため、測定装置２０２のフロントパネルとサブコネクタ４２とが干渉することなく、延長端子１６１と信号入力端子２１とが確実に接続される。
【００４６】
次いで、電源装置３を作動させて作動用電源Ｖｄ２の生成を開始させると共に、測定装置１０２（または測定装置２）を操作して測定を開始させる。この際に、電源装置３から出力されてケーブル４２ａおよびサブコネクタ１４２を介して入力する作動用電源Ｖｄ２が接続端子１６２、電源入力端子１５７およびケーブル３３を介してセンサ３１に供給され、センサ３１が検出信号Ｓｄをする。続いて、測定装置１０２（または測定装置２）の測定部１１が信号入力端子２１を介して入力した検出信号Ｓｄに基づいて測定対象体についての所定の物理量を測定する。
【００４７】
このように、このコネクタ１３２、検出装置１０４および測定システム１０１においても、メインコネクタ１４１に対して着脱可能に構成されると共に、メインコネクタ１４１に装着された状態において、測定装置２０２からの作動用電源Ｖｄ１の供給に代えて電源装置３からの作動用電源Ｖｄ２をメインコネクタ１４１を介して供給可能なサブコネクタ１４２を備えたことにより、サブコネクタ１４２を用いることで、電源装置３からの作動用電源Ｖｄ２をセンサ３１に供給することができる。したがって、このコネクタ１３２、検出装置１０４および測定システム１０１によれば、特殊な機能を備えた中継装置を用いることなく、作動用電源Ｖｄ１生成用の電源部１２やコネクタ１３２専用の接続部２１３を備えていない測定装置１０２とセンサ３１とによる物理量の測定を実現することができる。
【００４８】
また、このコネクタ１３２、検出装置１０４および測定システム１０１においても、信号出力端子６１および電源入力端子１５７が配設されたメインコネクタ１４１を備え、メインコネクタ１４１に対して装着可能に構成されると共に電源装置３からの作動用電源Ｖｄ２をメインコネクタ１４１に受け渡し可能にサブコネクタ１４２を構成したことにより、センサ３１に対して供給する測定装置２からの作動用電源Ｖｄ１と電源装置３からの作動用電源Ｖｄ２との切り替えを、サブコネクタ１４２の着脱だけで行うことができる。したがって、このコネクタ１３２、検出装置１０４および測定システム１０１によれば、測定装置２を用いた測定と測定装置１０２を用いた測定と迅速に切り替えて実行することができる。
【００４９】
なお、本発明は、上記の構成に限定されない。例えば、同軸ケーブル接続用端子としてのＢＮＣ端子で信号入力端子２１および信号出力端子６１を構成した例について上記したが、Ｎ型、Ｍ型およびＳＭＢ型などの他の同軸ケーブル接続用端子を用いることもできる。また、同軸ケーブル接続用端子に限定されず、一般的な測定装置に備えられている端子を信号入力端子および信号出力端子として用いることもできる。また、所定の物理量として電流を検出するセンサ３１に接続されるコネクタ３２，１３２に本発明を適用した例について上記したが、電圧などの他の物理量を検出する任意のセンサに適用することができるのは勿論である。
【図面の簡単な説明】
【００５０】
【図１】測定システム１の構成を示す構成図である。
【図２】測定システム１の信号経路の構成を示す構成図である。
【図３】コネクタ３２の構成を示す斜視図である。
【図４】第２本体部５２を第１本体部５１に装着した状態のコネクタ３２の斜視図である。
【図５】測定装置２の接続部１３、およびコネクタ３２の斜視図である。
【図６】サブコネクタ４２をメインコネクタ４１の第１本体部５１に装着した状態のコネクタ３２の斜視図である。
【図７】測定装置１０２の信号入力端子２１、およびコネクタ３２の斜視図である。
【図８】コネクタ１３２の構成を示す斜視図である。
【図９】測定装置２０２の接続部２１３、およびコネクタ１３２の斜視図である。
【図１０】メインコネクタ１４１にサブコネクタ１４２を装着した状態のコネクタ１３２の斜視図である。
【符号の説明】
【００５１】
１，１０１  測定システム
２，１０２，２０２  測定装置
３  電源装置
４，１０４  検出装置
２１  信号入力端子
２２  電源出力端子
３１  センサ
３２，１３２  コネクタ
３３  ケーブル
４１，１４１  メインコネクタ
４２，１４２  サブコネクタ
４２ｆ，５１ｆ，１４１ｆ，１４２ｆ  先端面
５１  第１本体部
５１ａ  切り欠き部
５２  第２本体部
６１  信号出力端子
６２，１５７ａ，１５７ｂ  電源入力端子
６３，６４，６５，１６２ａ，１６２ｂ  接続端子
１６１  延長端子
Ｓｄ  検出信号
Ｖｄ１，Ｖｄ２  作動用電源
【図１】
2008218251.tif 000003
【図２】
2008218251.tif 000004
【図３】
2008218251.tif 000005
【図４】
2008218251.tif 000006
【図５】
2008218251.tif 000007
【図６】
2008218251.tif 000008
【図７】
2008218251.tif 000009
【図８】
2008218251.tif 000010
【図９】
2008218251.tif 000011
【図１０】
2008218251.tif 000012